(57)【特許請求の範囲】
【請求項１】
電動送風機及び集塵部を設けた本体と、
一端が前記本体に接続されるホースと、
前記ホースの他端に取り付けられる手元ハンドル体と、
前記手元ハンドル体に接続する延長管と、
前記延長管に接続する床面吸込み具を備え、
前記床面吸込み具は、清掃面から塵挨を吸い込むケース体と、前記延長管と接続する継手部を有し、
前記継手部は、前記ケース体が吸い込んだ塵挨の流路となる継手管と、前記ケース体と前記継手管の間に設けられるシャッター部とを有し、
前記継手管は、右方向及び左方向にそれぞれ突出する一対の軸を有し、
前記シャッター部は、左右方向から前記継手管の端部を挟み込むように第１の部材と第２の部材を接続することにより組み立てられ、
前記第１の部材及び前記第２の部材には、前記軸の軸受となる部位が形成されたことを特徴とする電気掃除機。
【請求項２】
前記第１の部材は、開口が形成された枠体と前記軸受を形成する壁部を有し、前記枠体と前記壁部が一体成型により構成されていることを特徴とする請求項１に記載の電気掃除機。
【請求項３】
前記軸受となる軸開口は、前記第１の部材と前記第２の部材が接続することにより形成されることを特徴とする請求項１又は請求項２に記載の電気掃除機。
【発明の詳細な説明】
【技術分野】
【０００１】
本発明は、被清掃面である床面から塵埃を吸引する床面吸込み具を有する電気掃除機に関するものである。
【背景技術】
【０００２】
従来から、内部に電動送風機と集塵部を有する本体と、この本体にホースを介して接続する手元ハンドル体（把持部）と、この手元ハンドル体に接続する延長管と、この延長管に接続する床面吸込み具（吸込み口体）を有する電気掃除機がある。
このような電気掃除機を成す床面吸込み具は、被清掃面である床面から塵埃を吸込む部位であり、内部に回転ブラシを収容し下方に向けて開口する吸込み室が形成されたケース体と、このケース体の後部中央に取り付けられ取り込んだ塵埃の流路となると共に、延長管と接続する接続位置が形成された継手部（パイプ部）を有する。
そして、継手部は、ケース体に対して取り付け位置を中心に、前後方向に動くように回動自在に取り付けられており、回動角度を大きく確保するために、ケース体と継手部の隙間を埋める継手部の動きに追従するシャッターが備えられている（例えば、特許文献１参照）。
【先行技術文献】
【特許文献】
【０００３】
【特許文献１】特許第３９７７９６７号（図２）
【発明の概要】
【発明が解決しようとする課題】
【０００４】
このような、従来の床面吸込み具では、継手部はケース体に対して、取り付け位置を中心に前後に回転自在に取り付けられていることから、ケース体から手元ハンドル体に至る形状が、Ｔ字形状（ケース体の左右方向に対して直角方向に延長管が延びる形状）を維持して使用することは可能である。
しかしながら、ケース体に対して継手部とシャッターを組み込む際に、シャッターをケース体と継手部の間に位置させ、継手部の動きに追従して動作するように組み立てる必要があり、組み立て性が悪いという課題があった。
【０００５】
本発明は、上記のような課題を解決する為になされたもので、組立性が向上されたシャッター構造を有する床面吸込み具を有する電気掃除機を提供することを目的とする。
【課題を解決するための手段】
【０００６】
課題を解決するには、電気掃除機において、電動送風機及び集塵部を設けた本体と、一端が本体に接続されるホースと、ホースの他端に取り付けられる手元ハンドル体と、手元ハンドル体に接続する延長管と、延長管に接続する床面吸込み具を備え、床面吸込み具は、清掃面から塵挨を吸い込むケース体と、延長管と接続する継手部を有し、継手部は、ケース体が吸い込んだ塵挨の流路となる継手管と、ケース体と継手管の間に設けられるシャッター部とを有し、継手管は、右方向及び左方向にそれぞれ突出する一対の軸を有し、シャッター部は、左右方向から前記継手管の端部を挟み込むように第１の部材と第２の部材を接続することにより組み立てられ、第１の部材及び第２の部材には、軸の軸受となる部位が形成することにより、課題を解決することができる。
【発明の効果】
【０００７】
本発明によれば、電気掃除機において、組立性が向上されたシャッター構造を有する床面吸込み具を構成することができる。
【図面の簡単な説明】
【０００８】
【図１】実施の形態に係る電気掃除機の全体斜視図
【図２】実施の形態に係る床面吸込み具の左側面図
【図３】実施の形態に係る床面吸込み具の上方から見た平面図
【図４】実施の形態に係る床面吸込み具の底面図
【図５】実施の形態に係る床面吸込み具の継手部とケース体の左斜め上方向から見た分解斜視図１
【図６】実施の形態に係る床面吸込み具の継手部とケース体の右斜め上方向から見た分解斜視図２（拡大図）
【図７】実施の形態に係る床面吸込み具の継手部（継手管、シャッター部）とケース体の左斜め上方向から見た分解斜視図３
【図８】実施の形態に係る床面吸込み具の継手部（継手管、シャッター部）とケース体（上ケース、下ケース）の左斜め上方向から見た分解斜視図４
【図９】実施の形態に係る床面吸込み具の継手部の分解斜視図
【図１０】図３のＡ−Ａ断面図１
【図１１】（ａ）図３のＡ−Ａ断面図２（継手部が起きた状態）、（ｂ）（ａ）の拡大図
【図１２】（ａ）図３のＡ−Ａ断面図３（継手部が起きた状態）、（ｂ）（ａ）の拡大図
【発明を実施するための形態】
【０００９】
以下、図１〜図１２を参照して実施の形態を説明する。
まず、図１を参照して、電気掃除機１について説明する。図１は、実施の形態における電気掃除機１を示す図である。
【００１０】
図１に示すように、電気掃除機１は、本体（掃除機本体）２、ホース３、手元ハンドル体４、延長管５、床面吸込み具６を備える。
床面吸込み具６は、下向きに形成された開口から、床面上のごみ（塵埃）を空気と一緒に内部に取り込む部位である。この床面吸込み具６の吸気側の端部には、以下で説明する延長管５に接続する継手部７０が設けられている。
【００１１】
次に延長管５は、後述する手元ハンドル体４に接続する集塵接続体の１つであり、全体として真直ぐな円筒状を呈する。延長管５の一端部は床面吸込み具６の継手部７０に接続し、他端部は手元ハンドル体４に接続する。
使用者は、延長管５に設けられたボタン５ａの操作を行うことにより、床面吸込み具６を延長管５から取り外すことができる。また、使用者は、延長管５の排気側の端部に設けられた伸縮ボタン５ｂを操作することにより、延長管５を伸縮させることができる。
【００１２】
ここでは、手元ハンドル体４に接続される集塵接続体の例として、延長管５について説明したが、この他に、先端が窄んだ形状に構成され狭い部分の塵埃を吸い取りやすく構成されたノズルや、先端にブラシが植毛され隙間などの塵埃を書き出しやすく構成されたブラシ等も、集塵接続体である。
また、床面吸込み具６も、延長管５に取り付けることで、間接的に手元ハンドル体４に取り付けられることから集塵接続体である。
【００１３】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた床面吸込み具６の位置及び向きを変える。手元ハンドル体４の吸気側の端部は、延長管５の排気側端部に接続する。
使用者は、手元ハンドル４に設けられた解除ボタン４ａを操作することにより、延長管５を手元ハンドル体４から取り外すことができる。
【００１４】
次に、ホース３は、要部が、可撓性を備えた蛇腹状である中空の部材からなる。ホース３の吸気側の端部は、手元ハンドル体４に接続される。ホース３は、排気側の端部は、硬質の接続部３ａを備え、この接続部３ａが本体２に接続される。
本体２は、ホース３の接続部３ａが接続し、ごみを含む空気（含塵空気）を集塵部に通すことで、空気と塵埃を分離する。この本体２は、後部に開口する排気口（図示せず）より、塵埃が取り除かれた空気（清浄空気）を排出する。空気から分離したごみは、本体２の内部に溜められる。
以上のように各部が接続されることで、床面吸込み具６や延長管５などの集塵接続体から、手元ハンドル体４、ホース３、そして、本体２（集塵部）へと至る一続きの風路Ｆが形成される。
【００１５】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に床面吸込み具６に吸い込まれる。床面吸込み具６に吸い込まれた含塵空気は、床面吸込み具６、延長管５、手元ハンドル体４、ホース３の各内部を通り、本体２に送られる。
【００１６】
集塵部１２は、本体２の内部に流入したごみを空気（気流）から分離する。集塵部１２は、空気から分離したごみを捕捉する。集塵部１２は、サイクロン式や紙パック式のものが用いられる。
また、本体２は、両側に大型の車輪１３ａを、下面に小型の車輪１３ｂを備える。小型の車輪１３ｂは、その向きを自在に変えることができるように取り付けられている。このため、本体２は、大型の車輪１３ａ及び小型の車輪１３ｂが床面に接触した状態で向きを変えることができる。
【００１７】
次に、本実施の形態の要部である床面吸込み具６について、図２〜図１１を参照して説明する。
図２〜図４を参照すると、床面吸込み具６は、ケース体６０と、このケース体６０の後部中央に設けられる継手部７０と、ケース体６０の内部に収容される回転ブラシ８０と、この回転ブラシを駆動するモーターや駆動基板やプーリーやベルトやシャフトからなる駆動部（図示せず）を有する。
ケース体６０は、床面吸込み具６の外郭を成すものであり、下ケース６１、この下ケース６１の上に取り付けられる上ケース６２を有する。
【００１８】
主に、図４、図８、図９を参照すると、下ケース６１は、下面から見た形状が矩形状を成しており、内部に回転ブラシ８０を収容する吸込み室６１ａと、上面側に駆動部が搭載される駆動部搭載位置６１ｄが形成されている。吸込み室６１ａは、下方に向けて開口する吸込み口６１ｂが形成されている。
また、吸込み室６１ａには、後方に向けて開口する吸込み室排出口６１ｃが形成されている。吸込み室排出口６１ｃは、吸込み室６１ａの内部に吸込んだ塵埃を、吸込み室６１ａから継手部７０に向けて流下させるための開口である。吸込み室排出口６１ｃは、下ケース６１の左右方向の中心に位置している。
また、図５〜図８を参照すると、吸込み室排出口６１ｃを左右方向から挟み込む壁面６１ｄには、上方に向けて開口する半円形状の下凹部６１ｅが形成されている。図５、図９〜図１０を参照すると、下凹部６１ｅの下側に位置する下ケース６１の上面６１ｆの形状は、下凹部６１ｅの形状である半円の円中心を基準に描かれる円弧形状を成している。
【００１９】
次に、上ケース６２について説明する。
主に、図２〜図３、図５〜図６を参照すると、上ケース６２は上面方向から見た形状が矩形状を成し、左右の中心位置に、後部から内側に向けて凹む後部凹部６２ａが形成されている。この後部凹部６２ａで左右方向に向かい合う壁面６２ｂには、下方に向けて開口する半円形状の上凹部６２ｃが形成されている。
【００２０】
また、壁面６２ｂの上側は、凹形状の内側に向けて突出した突出部６２ｄとなっている。この突出部６２ｄの下面の形状は、上凹部６２ｃの形状である半円の円中心を基準に描かれる円弧形状である。
この様に構成された上ケース６２は、下ケース６１の上に取り付けられることで、下ケース６１の上面が閉鎖されて、吸込み口６１ｂから吸込み室６１ａ、そして、吸込み室排出口６１ｃに至る流路が形成される。
【００２１】
次に、図２〜図１０を参照して、継手部７０について説明する。
継手部７０は、継手管７１とシャッター部７２を有する。
継手管７１は、ケース体６０に設けられ、延長管５と接続することで、継手管７１から延長管５に至る塵挨を含んだ気流の流路となる管である。
シャッター部７２は、継手管７１とケース体６０の間に位置し、ケース体６０と継手管７１の間に形成される隙間を埋める部材である。
【００２２】
継手管７１の一端には、延長管５が接続する第１の接続端部７１ａが形成されている。接続端部７１ａは、延長管５の内方に入り込み係合することで延長管５と接続する。
この接続端部７１ａには、延長管５の接続方向に突出した給電端子７１１ａが設けられている。給電端子７１１ａは、延長管５に設けられた給電端子と接続することにより、回転ブラシ８０を駆動する駆動部へ電力を供給するためのものである。
【００２３】
また、継手管７１の他端は、ケース体６０と接続する第２の接続端部７１ｂが形成されている。第２の接続端部７１ｂは、継手管７１のケース体６０側の開口となる上流側開口７１ｃが形成されている。上流側開口７１ｃは矩形状を成している。
また、第２の接続端部７１ｂの左側面７１ｄ及び右側面７１ｅには、それぞれ左方向及び右方向に突出する左軸７１１ｄ及び右軸７１１ｅが設けられている。
つまり、継手管７１は、一対の軸を有している。第２の接続端部７１ｂの左側面７１ｄ及び右側面７１ｅは、床面吸込み具６を平らな被清掃面においた状態において、被清掃面に対して垂直となるように構成されている。つまり、左軸７１１ｄ，右軸７１１ｅは、被清掃面と平行な方向に突出している。
【００２４】
次に、第２の接続端部７１ｂの上面７１ｆ及び下面７１ｇは、上方向及び下方向に膨らむ曲面形状に構成されている。上面７１ｆ及び下面７１ｇの曲面は、左軸７１１ｄ及び右軸７１１ｅを通る軸線を中心に描かれる円弧に沿った形状である。
この様に構成される第２の接続端部７１ｂの形状は、上下左右対称となるように構成されており、左軸７１１ｄと右軸７１１ｅは同軸となっている。
【００２５】
次に、図５〜図１２を参照して、シャッター部７２について説明する。
シャッター部７２は、矩形状の開口を形成する枠体７２ａと、枠体７２ａに接続して左側の面を形成する左壁部７２ｂと、枠体７２ａに接続して右側の面を形成する右壁部７２ｃと、枠体７２ａに接続して上側の面を形成する上壁部７２ｄと、枠体７２ａに接続して下側の面を形成する下壁部７２ｅを有する。
【００２６】
左壁部７２ｂは、枠体７２ａと一体となるように枠体７２ａに接続している。また、左壁部７２ｂの中心となる位置には、軸受となる軸開口７２１ｂが開口する。左壁部７２ｂの周縁７２２ｂは、軸開口７２１ｂの中心を基準に描かれる円弧に沿った形状である。
【００２７】
右壁部７２ｃは、枠体７２ａに係合することで、枠体７２ａに取り付けられる。この右壁部７２ｃは、中心部分から外側にかけて切り欠かれた切り欠き部７２２ｃを有する形状を成している。つまり、右壁部７２ｃは、「Ｃ」字又は「Ｕ」字のような形状を成している。
そして、右壁部７２ｃは、切り欠かれている側から枠体７２ａに取り付けられる。そして、右壁部７２ｃが枠体７２ａに接続することで、開放している部分が枠体７２ａの部位で塞がれて、円形に開口する軸開口７２１ｃが形成される。
【００２８】
つまり、切り欠き部７２２ｃは、軸受となる軸開口７２１ｃとなる部位である。この様に右壁部７２ｃは、枠体７２ａと接続した状態において軸開口７２１ｃが形成される形状である。
また、右壁部７２ｃの周縁７２２ｃは、軸開口７２１ｃの中心を基準として描かれる円弧に沿った形状である。
【００２９】
上壁部７２ｄは、枠体７２ａと一体となるように枠体７２ａに接続している。上壁部７２ｄの上面７２１ｄは、軸開口７２１ｂの中心と軸開口軸開口７２１ｃの中心を通る軸線を中心に描かれる円弧に沿った形状である。
この様に構成された上壁部７２ｄは、継手部７０を寝かした状態（図１０の状態）の際に形成される継手部７０とケース体６０との間の隙間を閉鎖するための部分（シャッター）となる。
【００３０】
下壁部７２ｅは、枠体７２ａと一体となるように枠体７２ａに接続している。下壁部７２ｅの下面７２１ｅは、軸開口７２１ｂの中心と軸開口７２１ｃの中心を通る軸線を中心に描かれる円弧に沿った形状である。
この様に構成された下壁部７２ｅは、継手部７０を立てた状態（図１２の状態）の際に形成される継手部７０とケース体６０との間の隙間を閉鎖するための部分（シャッター）となる。
【００３１】
この様に、シャッター部７２は、枠体７２ａと左壁部７２ｂと上壁部７２ｄと下壁部７２ｅは一体成型により構成される第１の部材と、この一体成型品とは別に右壁部７２ｃが構成される第２の部材からなる。そして、枠体７２ａと左壁部７２ｂと上壁部７２ｄと下壁部７２ｅが一体となった第１の部材に対して、第２の部材である右壁部７２ｂが着脱自在に構成されている。
【００３２】
以上のように構成されたシャッター部７２と継手管７１は、次のように結合して継手部７０となる。
まず、シャッター部７２の第２の部材である右壁部７２ｂが外れた状態で、シャッター部７２の第１の部材である枠体７２ａと左壁部７２ｂと上壁部７２ｄと下壁部７２ｅに囲まれた部分に、継手管７１の第２の接続部７１ｂが位置するよう、シャッター部７２を構成する第１の部材が継手管７１に取り付けられる。
つまり、継手管７１の上流開口７１ｃと、シャッター部７２の枠体７２ａの内側の開口７２２ａが対向して連通する。尚、上流開口７１ｃと開口７２２ａは、塵挨を含む空気が流れる空間となる。
【００３３】
また、継手管７１の上面７１ｆと、シャッター部７２の上壁部７２ｄが上下に対向した状態となる。また、継手管７１の下面７１ｇと、シャッター部７２の下壁部７２ｅが上下に対向した状態となる。また、継手管７１の左側面７１ｄと、シャッター部７２の左壁部７２ｂが左右に対向した状態となる。
また、継手管７１の左側面７１ｄに設けられた左軸７１１ｄが、シャッター部７２の左壁部７２ｂに開口する軸開口７２１ｄを通り、左方向に突出した状態となる。左軸７１１ｄの中心と軸開口７２１ｄの中心は、左右方向で一致する位置関係となるよう構成されていることから、軸開口７２１ｄは、左軸７１１ｄを回転自在に軸支持する。
【００３４】
そして、この様に取り付けられた状態において、シャッター部７２を構成する第２の部材である右壁部７２ｃの切り欠かれている側から、右壁部７２ｃが枠体７２ａに取り付けられる。
右壁部７２ｃが枠体７２ａに取り付けられることで、継手管７１の右側面７１ｅと、シャッター部７２の右壁部７２ｂｃ左右に対向した状態となる。
【００３５】
このように、右壁部７２ｃが枠体７２ａに接続することで、切り欠き部７２２ｃである開放している部分が枠体７２ａの部位で塞がれて、円形に開口する軸開口７２１ｃが形成される。
そして、軸開口７２１ｃには、継手管７１の右側面７１ｅに設けられた右軸７１１ｅが通り、右方向に突出した状態となる。右軸７１１ｅの中心と軸開口７２１ｃの中心は、左右方向でほぼ一致する位置関係となるよう構成されていることから、軸開口７２１ｃは、右軸７１１ｅを回転自在に軸支持する。
【００３６】
以上のように継手管７１とシャッター部７２が結合することにより、継手管７１に設けられた左軸７１１ｄ及び右軸７１１ｅが、それぞれ軸開口７２１ｄ及び軸開口７２１ｃに軸支持される。これにより、軸支持位置を中心に、シャッター部７２に対して継手管７１が回転自在に取り付けられる。
【００３７】
このように、シャッター部７２を２つの部品に分けて、左右方向から第２の接続部７１ｂを挟み込むように継手管７１に取り付けるので、組み立てがしやすい。
特に、シャッター部７２を分ける２つの部品に、軸受となる部分を別々にすることで、シャッター部材７２を組み立てやすくすることができる。
【００３８】
また、シャッター部７２は、軸受を形成する部材である右壁部７２ｃを、枠体７２ａに対して取り付けるように部品を分けている。これにより、開口７２２ａを形成する枠体７２ａの形状を保った状態で構成することができる。
特に、枠体７２ａと左壁部７２ｂと上壁部７２ｄと下壁部７２ｅは一体成型により構成されているので、枠体７２ａの強度を増すことができ、開口７２２ａの変形を防ぐことができる。
【００３９】
次に、継手部７０は、次のようにケース体６０に取り付けられる。
図５〜図８を参照すると、まず継手部７０の右軸７１１ｅと左軸７１１ｄは、それぞれ下ケース６１の右側の下凹部６１ｅと左側の下凹部６１ｅに入り込み取り付けられる。
そして、上記のように下ケース６１に継手部７０が取り付けられた状態で、上ケース６２が下ケース６１の上面に取り付けられる。この時、継手部７０の右軸７１１ｅと左軸７１１ｄの上側は、上ケース６２の右側の上凹部６２ｃと左側の上凹部６２ｃに入り込む。
【００４０】
ここで、内部に右軸７１１ｅ又は左軸７１１ｄが入り込んでいる下凹部６１ｅと上凹部６２ｃは、上下に合わさることで円形の開口６０Ｈを形成する。この開口６０Ｈに、上記で記載した通り右軸７１１ｅ又は左軸７１１ｄが入り込んでいる。開口６０Ｈは、右軸７１１ｅ又は左軸７１１ｄを回転自在に支持する軸受となっている。
このようにケース体６０に継手部７０が取り付けることで、継手部７０がケース体６０に対して、開口６０Ｈを軸として回動自在に取り付けられ、継手部７０をケース体６０と接続した状態で前後に動かすことができる。
【００４１】
尚、このようにケース体６０に継手部７０が取り付けられた状態では、ケース体６０の吸込み室排出口６１ｃと継手部７０の上流側開口７１ｃが対向して通じた位置関係となる。
また、継手部７０のシャッター部７２は、ケース体６０の突出部６２ｄの内側に位置するので、ケース体６０からシャッター部７２が外れにくく構成されている。
また、突出部６２ｄの下面の形状は円弧形状であり、シャッター部７２の右壁部７２ｃと左壁部７２ｂの外形状が円弧形状であることから、突出部６２ｄの下側のシャッター部７２は、滑らかに回転動作することができる。
【００４２】
また、シャッター部７２は、ケース体６０の向かい合う壁面６２ｄに左右方向から挟まれる。この様に構成されているので、第２の接続部７１ｂを左右方向から挟み込み継手管７１に取り付けるシャッター部７２を左右方向から規制する構成となり、シャッター部７２が分解しにくい構成となっている。
【００４３】
シャッター部７２は、ケース体６０に対して回動するが、シャッター部７２とケース体６０の間に隙間ができないように、回動範囲に規制が設けられている。また、継手管７１は、シャッター部７２に対して回動するが、継手管７１とシャッター部７２の間に隙間ができないように、回動範囲が規制されるように構成されている。
本実施の形態の場合、シャッター部７２の枠体７２ａであって、開口７２２ａの上辺となる位置に、上リブ７２３ａが形成されている。
【００４４】
この上リブ７２３ａは、継手部７０が最も倒れた位置で、上リブ７２３ａと上ケース６２が接することで、シャッター７２の動きが規制されて、ケース体６０（上ケース６２）とシャッター７２が離れることなく、両部材の間に隙間が形成されるのを防止する（図９の状態）。
これにより、ケース体６０に対してシャッター７２が回動することで、ケース体６０に対して継手管７１の回動範囲を広くすると共に、継手管７１とケース体６０の間に隙間ができないように構成することができる。
【符号の説明】
【００４５】
１  電気掃除機、２  本体、３  ホース、４  手元ハンドル体、５  延長管（集塵接続体）、６  床面吸込み具
【図１】
0006519291.tif 000002
【図２】
0006519291.tif 000003
【図３】
0006519291.tif 000004
【図４】
0006519291.tif 000005
【図５】
0006519291.tif 000006
【図６】
0006519291.tif 000007
【図７】
0006519291.tif 000008
【図８】
0006519291.tif 000009
【図９】
0006519291.tif 000010
【図１０】
0006519291.tif 000011
【図１１】
0006519291.tif 000012
【図１２】
0006519291.tif 000013